(57)【要約】      （修正有）【課題】大きな容器を用意せずに済み、お湯や冷水が無駄にならず、苦痛を感じにくく、低コストで蒸しタオルやおしぼりを作ることができるおしぼり用器具を提供する。【解決手段】タオル３を外筒７に巻き付け、この外筒７に挿入した内筒１１へ適量のお湯や冷水５を注入し、栓１５をして、外筒７だけを下方へ抜き出し、適量のお湯や冷水５が通水孔１７から十分にタオル３にしみ込ませることで、タオル３やおしぼりを作ることができる。さらに、外筒７の下端に設けられたハンドル２１をつかめば、外筒７の下方への抜き出しが容易に行える。また、内筒１１の内部には、中心から放射状に伸びる複数の隔壁が形成され、この隔壁により区画された部屋には各々複数の通水孔１７が設けられているので、お湯や冷水５のしみ込みが均一に行える。【選択図】図１
0003162242.tif 000002
【実用新案登録請求の範囲】
【請求項１】
タオルにお湯や冷水を適量だけしみこませて蒸しタオルやおしぼりを作るための器具であって、タオルを巻き付けることができ、下端に底を有する外筒と、この外筒の上端の挿入開口から挿入してこの挿入開口に密着する内筒と、この内筒に空けられ、前記お湯や冷水を通す複数の通水孔と、前記内筒の上端に形成され前記お湯や冷水を注入でき栓ができる注入開口と、を有し、前記注入が終わった後に、前記外筒だけを下方へ抜き出すことで、前記お湯や冷水を前記通水孔から前記タオルにしみ込ませることを特徴とするおしぼり用器具。
【請求項２】
前記外筒の下方への抜き出しが容易に行えるように、前記外筒の下端に、ハンドルが設けられ、前記しみ込みが均一に行えるように、前記内筒の内部には、中心から放射状に伸びる複数の隔壁が形成され、この隔壁により区画された部屋には各々複数の前記通水孔が設けられていることを特徴とする請求項１に記載のおしぼり用器具。
【考案の詳細な説明】
【技術分野】
【０００１】
この考案は、家庭や介護の現場などで、タオルにお湯や冷水を適量だけしみこませて蒸しタオルやおしぼりを、簡単に作るための器具に関する。
【背景技術】
【０００２】
家庭などで、蒸しタオルやおしぼりを作るには、タオルをお湯や冷水に浸し、その後に、手でタオルを絞って余分なお湯や冷水を除いていた。
また、下記特許文献１、２には、タオルを自動的に加熱加湿する装置が記載される。
【先行技術文献】
【特許文献】
【０００３】
【特許文献１】米国特許抄録２００２−０１７８７６３
【特許文献２】特開２００２−１９９９９９
【考案の概要】
【考案が解決しようとする課題】
【０００４】
しかしながら、タオルをお湯や冷水に浸した後に、手でタオルを絞る作業は、大きな容器にお湯や冷水を用意せねばならず面倒である。また、お湯や冷水がかなりの量、無駄になってしまう。さらに、お湯や冷水が手に熱く、または冷たく、苦痛を感じることがある。
【０００５】
また、上記特許文献１、２には、大がかりな装置であり、コストが高く、家庭や小規模な介護の現場などでは、採用が難しい。
この考案は、以上の問題点を解決するために、大きな容器を用意せずに済み、お湯や冷水が無駄にならず、苦痛を感じにくく、低コストで蒸しタオルやおしぼりを作ることができるおしぼり用器具を提供することを目的とする。
【課題を解決するための手段】
【０００６】
以上の課題を解決するために、第一考案は、タオルにお湯や冷水を適量だけしみこませて蒸しタオルやおしぼりを作るための器具であって、タオルを巻き付けることができ、下端に底を有する外筒と、この外筒の上端の挿入開口から挿入してこの挿入開口に密着する内筒と、この内筒に空けられ、前記お湯や冷水を通す複数の通水孔と、前記内筒の上端に形成され前記お湯や冷水を注入でき栓ができる注入開口と、を有し、前記注入が終わった後に、前記外筒だけを下方へ抜き出すことで、前記お湯や冷水を前記通水孔から前記タオルにしみ込ませることを特徴とするおしぼり用器具である。
【０００７】
第二考案は、前記外筒の下方への抜き出しが容易に行えるように、前記外筒の下端に、ハンドルが設けられ、前記しみ込みが均一に行えるように、前記内筒の内部には、中心から放射状に伸びる複数の隔壁が形成され、この隔壁により区画された部屋には各々複数の前記通水孔が設けられていることを特徴とするおしぼり用器具である。
【考案の効果】
【０００８】
第一、又は第二考案によれば、タオルを外筒に巻き付け、この外筒に挿入した内筒へ適量のお湯や冷水を注入し、栓をして、外筒だけを下方へ抜き出し、適量のお湯や冷水が通水孔から十分にタオルにしみ込ませることで、タオルやおしぼりを作ることができる。
お湯や冷水は、直接に内筒へ注入すればよいので、大きな容器を用意せずに済む。適量を注入すれば済むので、お湯や冷水が無駄にならない。また、直接にお湯や冷水に触れなくて済み、苦痛を感じにくい。さらに、シンプルな構成により、低コストで蒸しタオルやおしぼりを作ることができる。
【０００９】
第二考案によれば、さらに、外筒の下端に設けられたハンドルをつかめば、外筒の下方への抜き出しが容易に行える。また、内筒の内部には、中心から放射状に伸びる複数の隔壁が形成され、この隔壁により区画された部屋には各々複数の前記通水孔が設けられているので、お湯や冷水のしみ込みが均一に行える。
【図面の簡単な説明】
【００１０】
【図１】この考案の一実施形態にかかるおしぼり用器具を示すもので、（Ａ）は全体斜視図、（Ｂ）は（Ａ）の分解斜視図である。
【図２】図１のおしぼり用器具を構成する内筒の中の隔壁を表すもので、（Ａ）は斜視図、（Ｂ）は（Ａ）の平面図である。
【図３】（Ａ）（Ｂ）（Ｃ）は、順に、図１のおしぼり用器具の使用方法にかかる手順を示す斜視図である。
【考案を実施するための形態】
【００１１】
この考案の実施形態にかかるおしぼり用器具を、図１から図３に示す。
このおしぼり用器具１は、タオル３に、お湯や冷水５を適量だけしみこませて蒸しタオル３やおしぼりを作るための器具である。
図１に示すように、外筒７は、円筒状を有し、タオル３を巻き付けることができる十分な長さを有し、下端に半円球状の底９を有する。内筒１１は、やはり円筒状を有し、外筒７の上端の挿入開口１３から挿入することで、内筒１１の外周面が、外筒７の内周面に密着する。この密着は、全長にわたってなされ、その結果、内筒１１は、外筒７の挿入開口１３にも密着する。よって、内筒１１が、後述する栓１５と共に、外筒７を密閉する。
【００１２】
図１，図２に示すように、内筒１１の周面には、多数の細かな通水孔１７が空けられている。器具の使用時には、この通水孔１７により、お湯や冷水５がタオル３へ通される。内筒１１の上端には、ラッパ状の注入開口１９が形成され、お湯や冷水５を内筒１１へ容易に注入できる。注入開口１９を塞ぐ栓１５も、ラッパ状に併せて逆円錐台形状を有する。
【００１３】
外筒７の下端には、フック状のハンドル２１が設けられ、外筒７の下方への抜き出しが容易に行える。
内筒１１の内部には、中心から放射状に伸びる複数の隔壁２３が形成される。この隔壁２３は４枚であり、平面図（図２（Ｂ））では十字形に現れる。これらの隔壁２３により、４つの部屋２５が区画される。各部屋２５は、扇状の水平断面を有し、外周面側には、それぞれの部屋毎に、複数の通水孔１７が、縦一列に設けられている。
【００１４】
「実施形態の使用方法と効果」
この実施形態にかかるおしぼり用器具１は、以下のように、使用する。
タオル３は、あらかじめ適度な厚さになるように、例えば２回折り畳み、４重にしておく。図３（Ａ）に示すように、このタオル３を円筒状の外筒７に巻き付けた後に、この外筒７に挿入した内筒１１へ適量のお湯や冷水５を注入する（図３（Ｂ））。出願人の実験によると、この適量は、  
厚手のフェイスタオルで  ８０〜１００ｇ
厚手のハンドタオルで    ４０〜５０ｇ
であった。このｇ数は、タオル３の材質や乾燥重量などにも関係すると思われるので、使用時に最適な適量を、探り、定めておく。
【００１５】
注入は、ポットややかんなどから直接に行なう。注入時に、タオル３の上から、外筒７をつかんでいれば、熱湯や氷水を使用しても、熱が伝わりにくく、苦痛を感じにくい。また、安全である。注入は、内筒１１を挿入した後でも前でもよい。前の場合には、挿入は静かに行ない、お湯や冷水５が溢れないようにする。そして、栓１５をする。
【００１６】
栓１５をすれば、器具は１本の筒になり、扱いやすく、後でタオル３を巻き付けることも容易となる。
このように準備ができたら、外筒７だけを下方へ抜き出す（図３（Ｃ））。このとき、また、外筒７の下端に設けられたハンドル２１をつかめば、抜き出しが容易に行える。すると、適量のお湯や冷水５が、露出した内筒１１の通水孔１７から、十分にタオル３にしみ込む。お湯や冷水５は適量であり、タオル３の外に滲み溢れることは少ない。特に、内筒１１の内部には、中心から放射状に伸びる複数の隔壁２３が形成され、この隔壁２３により区画された部屋２５には各々複数の通水孔１７が設けられているので、お湯や冷水５のしみ込みは、各部屋毎に行なわれ、均一に行える。
【００１７】
また、内筒１１を挟んだままタオル３を絞ることで、お湯や冷水５をタオル３にはやく行き渡らせることもできる。このとき、お湯や冷水５は適量であるので、タオル３の外に滲み、手に触れることは少ない。このようにして、蒸しタオル３やおしぼりを容易に作ることができる。
【００１８】
以上のように、お湯や冷水５は、直接に内筒１１へ注入すればよいので、洗面器などの大きな容器を用意せずに済む。そのため、使用者が、動かなければならない動線を短くでき、介護の現場などでは重宝する。また、顔を蒸すなどの美顔にも便利である。
あらかじめ分かっている適量を注入すれば済むので、お湯や冷水５が無駄にならない。また、使用する人は、従来のように大きな容器の中でタオル３を絞る場合に比べ、直接にお湯や冷水５に触れなくて済み、苦痛を感じにくい。さらに、ほとんど内筒１１と外筒７からなるシンプルな構成により、低コストで蒸しタオル３やおしぼりを作ることができる。
フック状のハンドル２１によって、器具を、簡単に吊下げておくことができ、管理が容易である。また、器具を自然乾燥させやすく、衛生を保ちやすい。
【００１９】
「他の実施形態」
以上の実施形態では、外筒７や内筒１１は、円筒状であったが、他の実施形態では、三角形、四角形、五角形、などの多角形断面の筒状でも構わない。
また、以上の実施形態では、注入開口１９はラッパ状であったが、他の実施形態では、他の形状、例えば、拡径しない通常の円筒形状などでもよい。
また、以上の実施形態では、ハンドル２１はフック状であったが、他の実施形態では、他の形状、例えば、円形、あるいはＳ字状などでもよい。
また、以上の実施形態では、隔壁２３は４枚であったが、他の実施形態では、２枚、３枚、あるいは５枚以上でもよい。
また、以上の実施形態では、内筒１１の外周面が外筒７の内周面に全長にわたって密着することで、内筒１１が外筒７の挿入開口１３にも密着するものであったが、他の実施形態では、内筒１１が外筒７の挿入開口１３においてのみ密着する構造でもよい。
【符号の説明】
【００２０】
１…おしぼり用器具、３…タオル、５…お湯や冷水、７…外筒、９…底、１１…内筒、１３…挿入開口、１５…栓、１７…通水孔、１９…注入開口、２１…ハンドル、２３…隔壁、２５…部屋。
【図１】
0003162242.tif 000003
【図２】
0003162242.tif 000004
【図３】
0003162242.tif 000005